【事件の表示】
　平成３年特許願第５１３５５９号「横糸供給測定装置ならびに同装置の制御方法」拒絶査定に対する審判事件［平成４年３月５日国際公開，ＷＯ９２／０３６０４、平成６年１月１３日国内公表，特表平６−５００３６５］について、次のとおり審決する。
【結　論】
　本件審判の請求は、成り立たない。
【理　由】
１．手続の経緯
　本願は、１９９１年８月２０日（パリ条約による優先権主張外国庁受理１９９０年８月２１日、ドイツ国）を国際出願日とする出願であって、その請求項１ないし８に係る発明は、平成１２年９月１９日付手続補正書により補正された明細書及び図面の記載からみて、請求項１ないし８に記載されたとおりのものと認められる。
　　
２．請求項１に係る発明
　その請求項１に係る発明は、特許請求の範囲の請求項１に記載された次のとおりのものと認める。（以下、「本願発明」という。）
　「織機装置の所定回転角度で各横糸挿入のため同期信号（Ｓｎ）を生成し、前記同期信号に時間的に関連してストッパー装置のストッパー要素（１１）の電磁石への供給電流を誘発する解放信号（Ｇｎ）を生成して横糸を引き出し挿入するために前記解放信号（Ｇｎ）後に前記ストッパー要素（１１）を解放位置に移動して横糸（Ｆ）を解放する、ジェット織機（２０）における横糸供給測定装置（Ｖ）の制御方法であって、
　ａ）前記同期信号（Ｓｎ）に時間的に関連して横糸解放のための織機の最適時間を表す公称解放時期（ＳＳｎ）をセットし、
　ｂ）解放信号（Ｇｎ）生成のための時間、電磁石（１２）への供給電流、又は前記ストッパー装置の機械的応答挙動である、前記公称解放時期（ＳＳｎ）と実際解放時期（Ｋｎ）間の遅延時間に影響する可変機能パラメータを選択し、
　ｃ）挿入サイクルにおいて、解放された横糸の動作開始を監視して直接的に又は間接的に実際解放時期（Ｋｎ）を求め、
　ｄ）セットされた公称解放時期（ＳＳｎ）と検知された実際解放時期（Ｋｎ）との差を求め、
　ｅ）求められた前記差を基に、その後の挿入サイクルにおいて少なくとも前記公称解放時期（ＳＳｎ）と実際解放時期（Ｋｎ）との実質的な一致状態を確立するために前記選択された可変機能パラメータを調整する、
ことを特徴とする制御方法。」
　
３．引用例記載の発明
　これに対して、原査定の拒絶の理由に引用された、本願の優先権主張の日前である昭和６１年９月２５日に頒布された特開昭６１−２１５７４５号公報（以下、「引用例」という。）は、織機における電磁アクチュエータの作動タイミング測定装置（発明の名称。）に関するものであり、次の事項が記載されている。
　［記載Ａ］
「ここで、係止体の突入および退出のタイミングは緯入れの成否に大きな影響を与えるから、電磁アクチュエータの作動タイミングは厳密に調整する必要がある。しかし、電磁アクチュエータへ駆動電流を供給又は停止してから係止体が作動するまでには時間遅れがあるので、この時間遅れを考慮して、電磁アクチュエータの作動タイミングが適正なものとなるよう電磁アクチュエータへの駆動電流の供給又は停止タイミングを調整する必要がある。ところが、この時間遅れは、ある程度の予測はつくものの、各電磁アクチュエータ毎にバラツキがあり、例えば５〜１０ｍｓ程度の範囲で、電磁アクチュエータへの駆動電流の供給又は停止タイミングを一定にしても、電磁アクチュエータの作動タイミングを正確に知ることはできなかった。」（第１頁右下欄第１９〜第２頁左上欄第１４行）
　［記載Ｂ］
「第１図において、緯糸測長貯留装置１は、静止状態に保持されたドラム２と、このドラム２の周囲を旋転してドラム２の周面に緯糸Ｗを巻付ける巻付けガイド３と、ドラム２に設けた穴４に突入および退出する係止体５とを備える。・・・・係止体５は電磁アクチュエータ６により所定のタイミングで作動される。・・・・前記電磁アクチュエータ６には、電源１０から電流検出回路１１及びスイッチング回路１２を介して駆動電流が供給されるようになっている。」（第２頁右下欄第４行〜第１８行）
　［記載Ｃ］
「織機作動中は織機主軸の回転と同期して回転体１５が回転し、アングルセンサ１４から織機主軸の回転角度に相当する角度信号が次々と出力される。これを受けて、制御回路１３は、前述のように１００°になるとスイッチング回路１２をＯＮにする。これにより、電流が電磁アクチュエータ６のコイルに流れて、アーマチュアが図で下方に引下げられ、これに連結してある係止体５が穴４から抜出される。この係止体５の抜出しよりもやや以前から開閉弁９が開弁して主ノズル８から空気噴射が行われているので、緯糸Ｗはドラム２回りを巻戻されつつ引出されて緯入れが行われる。・・・・ここにおいて、前述のようにスイッチング回路１２がＯＮされると、電流検出回路１１は第２図に示すような電流値を検出する。立上がり時の一時的な電流値の低下（イ）はアーマチュアが移動を開始した時に生じるものであり、・・・立上がり時の一時的な電流値の低下（イ）が電流検出回路１１で検出されると、ボトム／トップ検出回路１６のＢ端子からボトム検出信号が出力される。これにより演算回路１７はこのボトム検出信号を受けたときのアングルセンサ１４からの角度信号を出力する。」（第３頁右上欄第１１行〜同右下欄第３行）
　［記載Ｄ］
「演算回路１７の出力を比較回路２０に入力してある。この比較回路２０はプリセッタ２１にセットされた係止体５の抜出しタイミング（例えば１００°）及び突入タイミング（２３０°）と実際のタイミングである演算回路１７からの出力とを比較し、それぞれの差を出力する。そして、この比較回路２０の出力を補償回路２２に入力してある。この補償回路２２は比較回路２０からの出力に基づいてその差が解消されるよう制御回路１３からのＯＮ信号とＯＦＦ信号の発信タイミングを調整する。作用を説明すれば、例えば１０５°でボトム検出信号が得られた場合、演算回路１７からその角度１０５°が実際の係止体５の抜出し角度として出力されるから、比較回路２０においてはプリセッタ２１の抜出し角度１００°と比較し、その差の＋５°を補償回路へ出力する。この補償回路２２では制御回路１３へ対しそれからのＯＮ信号が５°早く出力されるようすなわち９５°で出力されるよう制御信号を出力する。このため、次の緯入れ時にはボトム検出信号が１００°の時点で発生するようになり、・・・」（第４頁左上欄第５行〜同右上欄第６行）
　［記載Ｅ］
「尚、以上の実施例では角度信号に基づいて制御するようにしたが、これを時間信号に代え、間接的に角度信号を得られるようにしてもよい。すなわち、１°をそれに要する時間に置換えて制御するわけである。この場合、アングルセンサは主軸１回転中における基準となる角度信号のみを発信すればよく、その基準角度信号からボトム検出信号又はトップ検出信号までの時間を計測すればよい。」（第４頁右上欄第１６行〜同左下欄第４行）
　
４．対比
　上記記載事項からみて、引用例には次の事項が記載されていると認められる。
「織機装置の所定の角度で緯入れのための基準角度信号を生成し、前記基準角度信号の一定時間後に係止体の電磁アクチュエータに接続されたスイッチング回路をＯＮにする制御回路からの信号を生成して緯入れするために前記制御回路からの信号の後に前記係止体を解放位置に移動して緯糸を解放する、ジェット織機における緯糸測長貯留装置の制御方法であって、
ａ’）前記基準角度信号の一定の時間後の所定角度または所定時間に抜出しタイミングをプリセッタにセットし、
ｂ’）補償回路により前記スイッチング回路をＯＮにする制御回路からの信号を発生するタイミングをプリセットされたタイミングから実際に係止体に動きが生じるタイミングまでの遅延時間に影響するパラメータとして選択し、
ｃ’）緯入れ時に実際に係止体に動きが生じるタイミングを求め、
ｄ’）プリセッタにセットされた抜出しタイミングと検知された実際に係止体に動きが生じるタイミングとの差を求め、
ｅ’）求められた前記差を基に、次の緯入れ時にプリセッタにセットされた抜出しタイミングと検知された実際に係止体に動きが生じるタイミングとが一致するように前記選択された補償回路によりスイッチング回路をＯＮにする制御回路からの信号を発生するタイミングを調整する、
ことを特徴とする制御方法。」
　が記載されている。
　上記、「一定時間後」という概念は、「時間的に関連して」という概念に含まれるものであり、また、引用例における「所定の角度」「緯入れ」「基準角度信号」「係止体」「電磁アクチュエータ」「スイッチング回路をＯＮにする制御回路からの信号」「信号を発生するタイミング」「プリセッタにセットされたタイミング」「遅延時間に影響するパラメータ」「緯入れ時」「緯糸測長貯留装置」は、本願発明における「所定回転角度」「各横糸挿入」「同期信号」「ストッパー装置のストッパー要素」「電磁石」「解放信号」「信号生成のための時間」「公称解放時期」「遅延時間に影響する可変機能パラメータ」「挿入サイクル」「横糸供給測定装置」にそれぞれ相当するので、引用例には次の発明が記載されていることになる。
　「織機装置の所定回転角度で各横糸挿入のため同期信号を生成し、前記同期信号に時間的に関連してストッパー装置のストッパー要素の電磁石への供給電流を誘発する解放信号を生成して横糸を引き出し挿入するために前記解放信号後に前記ストッパー要素を解放位置に移動して横糸を解放する、ジェット織機における横糸供給測定装置の制御方法であって、
ａ’）前記同期信号に時間的に関連して横糸解放のための織機の最適時間を表す公称解放時期をセットし、
ｂ’）解放生成のための時間である前記公称解放時期と実際にストッパー装置のストッパー要素に動きが生じるタイミング間の遅延時間に影響する可変機能パラメータを選択し、
ｃ’）挿入サイクルにおいて、実際にストッパー装置のストッパー要素に動きが生じるタイミングを求め、
ｄ’）セットされた公称解放時期と検知された実際にストッパー装置のストッパーに動きが生じるタイミングとの差を求め、
ｅ’）求められた前記差を基に、その後の挿入サイクルにおいて少なくとも前記公称解放時期と実際にストッパー装置のストッパー要素に動きが生じるタイミングとの実質的な一致状態を確立するために前記選択された可変機能パラメータを調整する、
ことを特徴とする制御方法。」
　本願発明と引用例に記載された発明とを対比すると、次の点で一致している。
　［一致点］
　「織機装置の所定回転角度で各横糸挿入のため同期信号を生成し、前記同期信号に時間的に関連してストッパー装置のストッパー要素の電磁石への供給電流を誘発する解放信号を生成して横糸を引き出し挿入するために前記解放信号後に前記ストッパー要素を解放位置に移動して横糸を解放する、ジェット織機における横糸供給測定装置の制御方法であって、
ａ’’）前記同期信号に時間的に関連して横糸解放のための織機の最適時間を表す公称解放時期をセットし、
ｂ’’）解放生成のための時間である前記公称解放時期と特定のタイミングＴ間の遅延時間に影響する可変機能パラメータを選択し、
ｃ’’）挿入サイクルにおいて、特定のタイミングＴを求め、
ｄ’’）セットされた公称解放時期と検知された特定のタイミングＴとの差を求め、
ｅ’’）求められた前記差を基に、その後の挿入サイクルにおいて少なくとも前記公称解放時期と特定のタイミングＴとの実質的な一致状態を確立するために前記選択された可変機能パラメータを調整する、
ことを特徴とする制御方法。」
　また、次の点で相違していると認められる。
　［相違点］
　本件発明においては、上記特定のタイミングＴがストッパー要素が移動を開始したときに始るボトム信号を検出したタイミングである（上記記載Ｄ参照。）のに対し、本願発明では、「解放された横糸の動作開始を監視して直接的に又は間接的に」求められた「実際解放時期」である点で両者は相違する。
　
５．当審の判断
　上記相違点について検討する。
　上記記載Ａにも示されるように、係止体すなわちストッパー要素の動作タイミングが重要なのは緯入れの成否すなわち横糸の動作がそのタイミングによって変化するためである。したがって、引用例のようにストッパー要素の動作時期を検出したタイミングを用いるのに代えて、横糸の動作開始を意識した「解放された横糸の動作開始を監視して直接的に又は間接的に」求められた「実際解放時期」を当該タイミングとして採用しようとすることに格別の困難性は認められない。
　なお、請求人は引用例においては、ストッパー要素の動作開始から横糸の動作開始までのタイムラグがあるため本願発明の方が正確な制御が可能であると主張している。しかし、本願明細書第１１頁第２６行〜第１２頁第７行に記載されたストッパー要素の動作からの「実際の解放時期」の判断方法では、ストッパー要素の動作終了から更に横糸の動作開始までタイムラグが生ずる可能性がある（必要があれば、特開平２−３３３５１号公報を参照。）ことを考慮すると、タイムラグが生ずるという点では程度の相違でしかなく、本願発明と引用例との作用効果上の差異は格別なものと認めることはできない。
　
６．むすび
　したがって、本願発明は、引用例に記載された発明に基いて当業者が容易に発明をすることができたものであるので、請求項２乃至８に係る発明について検討するまでもなく、特許法第２９条第２項の規定により特許を受けることができない。
　よって、結論のとおり審決する。